【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
ネットワーク設定を設定する設定方式として、複数の設定方式をサポートする情報処理装置であって、
所定の操作を受け付けた場合に、前記複数の設定方式のうちの特定の設定方式に対応する特定のＳＳＩＤで外部装置から識別される、外部装置と無線通信を行うためのアクセスポイントとして前記情報処理装置が機能するよう制御する制御手段と、
通信端末から前記アクセスポイントを介した無線通信で前記情報処理装置が使用するネットワーク設定を受信する受信手段と、
を有し、
前記制御手段は、前記複数の設定方式の中から、前記特定の設定方式とは異なる設定方式を使用して前記情報処理装置のネットワーク設定を行うためのユーザ操作を操作部を介して受け付けたことに基づいて、前記異なる設定方式に対応するＳＳＩＤであり、前記特定のＳＳＩＤとは異なるＳＳＩＤで外部装置から識別されるアクセスポイントとして前記情報処理装置が機能するよう制御することを特徴とする情報処理装置。
【請求項２】
前記受信手段によって受信する前記ネットワーク設定は、少なくとも、前記情報処理装置が接続すべきアクセスポイントを識別するためのＳＳＩＤと、セキュリティキーを少なくとも含むことを特徴とする請求項１に記載の情報処理装置。
【請求項３】
前記情報処理装置は有線ネットワークインタフェースを更に有し、
前記受信手段によって受信する前記ネットワーク設定は、前記有線ネットワークインターフェースに関する設定を含むことを特徴とする請求項２に記載の情報処理装置。
【請求項４】
前記受信手段は、更に、前記情報処理装置をクラウドサービスと連携させるためのアカウントの設定を前記アクセスポイントを介した無線通信で受信することを特徴とする請求項２または３に記載の情報処理装置。
【請求項５】
前記所定の操作は、前記情報処理装置が工場出荷時の状態で前記情報処理装置に電源を投入する操作、又は、無線ネットワーク設定に関するセットアップ画面を表示する操作であることを特徴とする請求項１乃至４のいずれか１項に記載の情報処理装置。
【請求項６】
前記情報処理装置の設定を工場出荷時の状態に初期化する初期化手段を更に有することを特徴とする請求項５に記載の情報処理装置。
【請求項７】
前記所定の操作に従って前記情報処理装置を前記アクセスポイントとして機能させた場合に、アクセスポイントに対応する設定方式を示す情報をユーザに通知する通知手段を更に有することを特徴とする請求項１乃至６のいずれか１項に記載の情報処理装置。
【請求項８】
前記制御手段は、前記異なる設定方式を使用して前記情報処理装置のネットワーク設定を行うためのユーザ操作を前記操作部を介して受け付けたことに基づいて、前記特定のＳＳＩＤで外部から識別されるアクセスポイントとしての動作を停止し、前記特定のＳＳＩＤとは異なるＳＳＩＤで外部装置から識別されるアクセスポイントとして前記情報処理装置が機能するように前記情報処理装置の動作を制御することを特徴とする請求項１乃至７のいずれか１項に記載の情報処理装置。
【請求項９】
前記制御手段は更に、前記特定の設定方式とは異なる設定方式を使用して前記情報処理装置の設定を行うためのユーザ操作を受け付けた場合であって、前記異なる設定方式が前記アクセスポイントとして前記情報処理装置を機能させることなくネットワーク設定を行う設定方式の場合は、前記異なる設定方式に則った制御を行うことを特徴とする請求項１乃至８のいずれか１項に記載の情報処理装置。
【請求項１０】
前記アクセスポイントとして前記情報処理装置を機能させることなくネットワーク設定を行う設定方式は、少なくともＷｉ−Ｆｉ  Ｐｒｏｔｅｃｔｅｄ  Ｓｅｔｕｐの仕様に則ってネットワーク設定を行う設定方式を含むことを特徴とする請求項９に記載の情報処理装置。
【請求項１１】
外部装置から印刷データを受信して前記印刷データに基づいてシートに画像を印刷する印刷手段を更に有することを特徴とする請求項１乃至１０のいずれか１項に記載の情報処理装置。
【請求項１２】
ネットワーク設定を設定する設定方式として、複数の設定方式をサポートする情報処理装置を制御する制御方法であって、
所定の操作を受け付けた場合に、前記複数の設定方式のうちの特定の設定方式に対応する特定のＳＳＩＤで外部装置から識別される、外部装置と無線通信を行うためのアクセスポイントとして前記情報処理装置が機能するよう制御する第１の制御工程と、
前記複数の設定方式の中から、前記特定の設定方式とは異なる設定方式を使用して前記情報処理装置のネットワーク設定を行うためのユーザ操作を受け付けたことに基づいて、前記異なる設定方式に対応するＳＳＩＤであり、前記特定のＳＳＩＤとは異なるＳＳＩＤで外部装置から識別されるアクセスポイントとして前記情報処理装置が機能するように制御する第２の制御工程と、
通信端末から前記アクセスポイントを介した無線通信で前記情報処理装置が使用するネットワーク設定を受信する受信工程と、
を有することを特徴とする制御方法。
【請求項１３】
前記受信工程で受信する前記ネットワーク設定は、少なくとも、前記情報処理装置が接続すべきアクセスポイントを識別するためのＳＳＩＤと、セキュリティキーを少なくとも含むことを特徴とする請求項１２に記載の制御方法。
【請求項１４】
前記所定の操作は、前記情報処理装置が工場出荷時の状態で前記情報処理装置に電源を投入する操作、又は、無線ネットワーク設定に関するセットアップ画面を表示する操作であることを特徴とする請求項１２又は１３に記載の制御方法。
【請求項１５】
ユーザ操作に従って、前記情報処理装置の設定を工場出荷時の状態に初期化する初期化工程を更に有することを特徴とする請求項１４に記載の制御方法。
【請求項１６】
前記所定の操作に従って前記情報処理装置を前記アクセスポイントとして機能させた場合に、アクセスポイントに対応する設定方式を示す情報をユーザに通知する通知工程を更に有することを特徴とする請求項１３乃至１５のいずれか１項に記載の制御方法。
【請求項１７】
前記第２の制御工程では、前記異なる設定方式を使用して前記情報処理装置のネットワーク設定を行うためのユーザ操作を受け付けたことに基づいて、前記第１の制御工程で動作を開始したアクセスポイントとしての機能を停止し、前記特定のＳＳＩＤとは異なるＳＳＩＤで外部装置から識別されるアクセスポイントとして前記情報処理装置が機能するように前記情報処理装置の動作を制御することを特徴とする請求項１３乃至１６のいずれか１項に記載の制御方法。
【請求項１８】
前記特定の設定方式とは異なる設定方式を使用して前記情報処理装置の設定を行うためのユーザ操作を受け付けた場合であって、当該受け付けた異なる設定方式が前記アクセスポイントとして前記情報処理装置を機能させることなくネットワーク設定を行う設定方式の場合に、前記異なる設定方式に則った制御を行う第３の制御工程を更に有することを特徴とする請求項１３乃至１７のいずれか１項に記載の制御方法。
【請求項１９】
前記アクセスポイントとして前記情報処理装置を機能させることなくネットワーク設定を行う設定方式は、少なくともＷｉ−Ｆｉ  Ｐｒｏｔｅｃｔｅｄ  Ｓｅｔｕｐの仕様に則ってネットワーク設定を行う設定方式を含むことを特徴とする請求項１８に記載の制御方法。
【請求項２０】
請求項１３乃至１９のいずれか１項に記載の情報処理装置の制御方法をコンピュータに実行させるためのプログラム。
【手続補正２】
【補正対象書類名】明細書
【補正対象項目名】００１１
【補正方法】変更
【補正の内容】
【００１１】
上記の少なくとも一つの目的を達成するために本発明の情報処理装置は、ネットワーク設定を設定する設定方式として、複数の設定方式をサポートする情報処理装置であって、所定の操作を受け付けた場合に、前記複数の設定方式のうちの特定の設定方式に対応する特定のＳＳＩＤで外部装置から識別される、外部装置と無線通信を行うためのアクセスポイントとして前記情報処理装置が機能するよう制御する制御手段と、通信端末から前記アクセスポイントを介した無線通信で前記情報処理装置が使用するネットワーク設定を受信する受信手段と、を有し、前記制御手段は、前記複数の設定方式の中から、前記特定の設定方式とは異なる設定方式を使用して前記情報処理装置のネットワーク設定を行うためのユーザ操作を操作部を介して受け付けたことに基づいて、前記異なる設定方式に対応するＳＳＩＤであり、前記特定のＳＳＩＤとは異なるＳＳＩＤで外部装置から識別されるアクセスポイントとして前記情報処理装置が機能するよう制御することを特徴とする。